(57)【要約】【課題】    本発明の目的は、建物用の柱を高架柱に近接すると共に、複数設けるようにした高架下建物構造体を提供するものである。【解決手段】    高架下建物構造体Ｎは、前側梁３は前側左第１の柱１ＬＦの端面に前側左第１のプレート１ＬＰを介して、前側右第１の柱１ＲＦの端面に前側右第１のプレート１ＲＰを介して、前側左第２の柱２ＬＦの端面に前側左第２のプレート２ＬＰを介して、前側右第２の柱２ＲＦの端面に前側右第２のプレート２ＲＰを介して、それぞれ固定され、正面視、第１の高架柱１が右、第２の高架柱２が左に位置し、前側右第２の柱２ＲＦと前側左第１の柱１ＬＦとの間に柱がないものである。【選択図】図１
2018131832.tif 000002
【特許請求の範囲】
【請求項１】
高架の下方の空間を利用した高架下建物構造体であって、 
前記高架を支える第１の高架柱と、
前記高架を支え、前記第１の高架柱に隣接する位置にある第２の高架柱と、
正面視、前記第２の高架柱より前記第１の高架柱に近い位置にあって、前記第１の高架柱より離間すると共に、前記第１の高架柱より前方で且つ左に位置する前側左第１の柱と、
正面視、前記第２の高架柱より前記第１の高架柱に近い位置にあって、前記第１の高架柱より離間すると共に、前記第１の高架柱より前方で且つ右に位置する前側右第１の柱と、
正面視、前記第１の高架柱より前記第２の高架柱に近い位置にあって、前記第２の高架柱より離間すると共に、前記第２の高架柱より前方で且つ左に位置する前側左第２の柱と、
正面視、前記第１の高架柱より前記第２の高架柱に近い位置にあって、前記第２の高架柱より離間すると共に、前記第２の高架柱より前方で且つ右に位置する前側右第２の柱とを備え、
前側梁は前記前側左第１の柱の端面に前側左第１のプレートを介して、前記前側右第１の柱の端面に前側右第１のプレートを介して、前記前側左第２の柱の端面に前側左第２のプレートを介して、前記前側右第２の柱の端面に前側右第２のプレートを介して、それぞれ固定され、
正面視、前記第１の高架柱が右、前記第２の高架柱が左に位置し、
前記前側右第２の柱と前記前側左第１の柱との間に柱がない
ことを特徴とする高架下建物構造体。
【請求項２】
正面視、前側左第１の柱の正面よりは前記前側左第１の柱の背面に近い側に取り付けられた前側左第１の柱の上取り付け部材と、
正面視、前側左第１の柱の正面よりは前記前側左第１の柱の背面に近い側に取り付けられた前記前側左第１の柱の上取り付け部材より低い位置にある前側左第１の柱の下取り付け部材と、
正面視、前側右第１の柱の正面よりは前記前側右第１の柱の背面に近い側に取り付けられた前側右第１の柱の上取り付け部材と、
正面視、前側右第１の柱の正面よりは前記前側右第１の柱の背面に近い側に取り付けられた前記前側右第１の柱の上取り付け部材より低い位置にある前側右第１の柱の下取り付け部材と、
前記前側左第１の柱の上取り付け部材と前記前側右第１の柱の下取り付け部材とを接続する第１の筋交いと、
前記前側右第１の柱の上取り付け部材と前記前側左第１の柱の下取り付け部材とを接続する第２の筋交いとを備えている
ことを特徴とする請求項１記載の高架下建物構造体。
【請求項３】
高架の下方の空間を利用した高架下建物構造体であって、 
前記高架を支える第１の高架柱と、
前記高架を支え、前記第１の高架柱に隣接する位置にある第２の高架柱と、
正面視、前記第２の高架柱より前記第１の高架柱に近い位置にあって、前記第１の高架柱より離間すると共に、前記第１の高架柱より前方で且つ左に位置する前側左第１の柱と、
正面視、前記第２の高架柱より前記第１の高架柱に近い位置にあって、前記第１の高架柱より離間すると共に、前記第１の高架柱より前方で且つ右に位置する前側右第１の柱と、
正面視、前記第１の高架柱より前記第２の高架柱に近い位置にあって、前記第２の高架柱より離間すると共に、前記第２の高架柱より前方で且つ左に位置する前側左第２の柱と、
正面視、前記第１の高架柱より前記第２の高架柱に近い位置にあって、前記第２の高架柱より離間すると共に、前記第２の高架柱より前方で且つ右に位置する前側右第２の柱と、
正面視、前記第２の高架柱より前記第１の高架柱に近い位置にあって、前記第１の高架柱より離間すると共に、前記第１の高架柱より後方で且つ左に位置する後側左第１の柱と、
正面視、前記第２の高架柱より前記第１の高架柱に近い位置にあって、前記第１の高架柱より離間すると共に、前記第１の高架柱より後方で且つ右に位置する後側右第１の柱と、
正面視、前記第１の高架柱より前記第２の高架柱に近い位置にあって、前記第２の高架柱より離間すると共に、前記第２の高架柱より後方で且つ左に位置する後側左第２の柱と、
正面視、前記第１の高架柱より前記第２の高架柱に近い位置にあって、前記第２の高架柱より離間すると共に、前記第２の高架柱より後方で且つ右に位置する後側右第２の柱とを備え、
前側梁は前記前側左第１の柱の端面に前側左第１のプレートを介して、前記前側右第１の柱の端面に前側第１の右プレートを介して、前記前側左第２の柱の端面に前側左第２のプレートを介して、前記前側右第２の柱の端面に前側右第２のプレートを介して、それぞれ固定され、
正面視、前記第１の高架柱が右、前記第２の高架柱が左に位置し、
前記前側右第２の柱と前記前側左第１の柱との間に柱がなく、
後側梁は前記後側左第１の柱の端面に後側左第１のプレートを介して、前記後側右第１の柱の端面に後側右第１のプレートを介して、前記後側左第２の柱の端面に後側左第２のプレートを介して、前記後側右第２の柱の端面に後側右第２のプレートを介して、それぞれ固定され、
前記後側右第２の柱と前記後側左第１の柱との間に柱がない
ことを特徴とする高架下建物構造体。
【請求項４】
第１の高架柱の周囲に前側左第１の柱、前側右第１の柱、後側左第１の柱及び後側右第１の柱が位置すると共に、前記前側右第１の柱、前記後側左第１の柱及び前記後側右第１の柱の基礎が、前記第１の高架柱に接触しないように施工され、
第２の高架柱の周囲に前側左第２の柱、前側右第２の柱、後側左第２の柱及び後側右第２の柱が位置すると共に、前記前側左第２の柱、前記前側右第２の柱、前記後側左第２の柱及び前記後側右第２の柱の基礎が、前記第２の高架柱に接触しないように施工されている
ことを特徴とする請求項３記載の高架下建物構造体。
【請求項５】
前側左第１の柱と前側右第１の柱の間、前側左第１の柱の上及び前側右第１の柱の上に位置する前側梁に継ぎ目がなく連続している
ことを特徴とする請求項１又は請求項３記載の高架下建物構造体。
【発明の詳細な説明】
【技術分野】
【０００１】
本発明は、高架下建物構造体に係り、特に、建物用の柱を高架柱に近接すると共に、複数設けるようにした高架下建物構造体に関する。
【背景技術】
【０００２】
従来、高架の下方の空間を利用した高架下建物構造体としては、例えば、図１０に示すものがある。
これは、高架柱１００と高架柱１０１との間に建物用の柱１０２が設けられ、建物用の柱１０２に梁１０３が設けられるようになっている。
【発明の概要】
【発明が解決しようとする課題】
【０００３】
しかしながら、上記図１０記載の高架下建物構造体にあっては、高架柱１００と高架柱１０１との間に建物用の柱１０２が設けられているため、建物として利用した場合、建物用の柱１０２が邪魔になるという問題点があった。
【０００４】
本発明は、上記問題点を考慮してなされた高架下建物構造体を提供することを目的とする。
【課題を解決するための手段】
【０００５】
請求項１記載の高架下建物構造体は、高架の下方の空間を利用した高架下建物構造体であって、前記高架を支える第１の高架柱と、前記高架を支え、前記第１の高架柱に隣接する位置にある第２の高架柱と、正面視、前記第２の高架柱より前記第１の高架柱に近い位置にあって、前記第１の高架柱より離間すると共に、前記第１の高架柱より前方で且つ左に位置する前側左第１の柱と、正面視、前記第２の高架柱より前記第１の高架柱に近い位置にあって、前記第１の高架柱より離間すると共に、前記第１の高架柱より前方で且つ右に位置する前側右第１の柱と、正面視、前記第１の高架柱より前記第２の高架柱に近い位置にあって、前記第２の高架柱より離間すると共に、前記第２の高架柱より前方で且つ左に位置する前側左第２の柱と、正面視、前記第１の高架柱より前記第２の高架柱に近い位置にあって、前記第２の高架柱より離間すると共に、前記第２の高架柱より前方で且つ右に位置する前側右第２の柱とを備え、前側梁は前記前側左第１の柱の端面に前側左第１のプレートを介して、前記前側右第１の柱の端面に前側右第１のプレートを介して、前記前側左第２の柱の端面に前側左第２のプレートを介して、前記前側右第２の柱の端面に前側右第２のプレートを介して、それぞれ固定され、正面視、前記第１の高架柱が右、前記第２の高架柱が左に位置し、前記前側右第２の柱と前記前側左第１の柱との間に柱がないものである。
【０００６】
また、請求項２記載の高架下建物構造体は、請求項１記載の高架下建物構造体において、正面視、前側左第１の柱の正面よりは前記前側左第１の柱の背面に近い側に取り付けられた前側左第１の柱の上取り付け部材と、正面視、前側左第１の柱の正面よりは前記前側左第１の柱の背面に近い側に取り付けられた前記前側左第１の柱の上取り付け部材より低い位置にある前側左第１の柱の下取り付け部材と、正面視、前側右第１の柱の正面よりは前記前側右第１の柱の背面に近い側に取り付けられた前側右第１の柱の上取り付け部材と、正面視、前側右第１の柱の正面よりは前記前側右第１の柱の背面に近い側に取り付けられた前記前側右第１の柱の上取り付け部材より低い位置にある前側右第１の柱の下取り付け部材と、前記前側左第１の柱の上取り付け部材と前記前側右第１の柱の下取り付け部材とを接続する第１の筋交いと、前記前側右第１の柱の上取り付け部材と前記前側左第１の柱の下取り付け部材とを接続する第２の筋交いとを備えているものである。
【０００７】
また、請求項３記載の高架下建物構造体は、高架の下方の空間を利用した高架下建物構造体であって、前記高架を支える第１の高架柱と、前記高架を支え、前記第１の高架柱に隣接する位置にある第２の高架柱と、正面視、前記第２の高架柱より前記第１の高架柱に近い位置にあって、前記第１の高架柱より離間すると共に、前記第１の高架柱より前方で且つ左に位置する前側左第１の柱と、正面視、前記第２の高架柱より前記第１の高架柱に近い位置にあって、前記第１の高架柱より離間すると共に、前記第１の高架柱より前方で且つ右に位置する前側右第１の柱と、正面視、前記第１の高架柱より前記第２の高架柱に近い位置にあって、前記第２の高架柱より離間すると共に、前記第２の高架柱より前方で且つ左に位置する前側左第２の柱と、正面視、前記第１の高架柱より前記第２の高架柱に近い位置にあって、前記第２の高架柱より離間すると共に、前記第２の高架柱より前方で且つ右に位置する前側右第２の柱と、正面視、前記第２の高架柱より前記第１の高架柱に近い位置にあって、前記第１の高架柱より離間すると共に、前記第１の高架柱より後方で且つ左に位置する後側左第１の柱と、正面視、前記第２の高架柱より前記第１の高架柱に近い位置にあって、前記第１の高架柱より離間すると共に、前記第１の高架柱より後方で且つ右に位置する後側右第１の柱と、正面視、前記第１の高架柱より前記第２の高架柱に近い位置にあって、前記第２の高架柱より離間すると共に、前記第２の高架柱より後方で且つ左に位置する後側左第２の柱と、正面視、前記第１の高架柱より前記第２の高架柱に近い位置にあって、前記第２の高架柱より離間すると共に、前記第２の高架柱より後方で且つ右に位置する後側右第２の柱とを備え、前側梁は前記前側左第１の柱の端面に前側左第１のプレートを介して、前記前側右第１の柱の端面に前側第１の右プレートを介して、前記前側左第２の柱の端面に前側左第２のプレートを介して、前記前側右第２の柱の端面に前側右第２のプレートを介して、それぞれ固定され、正面視、前記第１の高架柱が右、前記第２の高架柱が左に位置し、前記前側右第２の柱と前記前側左第１の柱との間に柱がなく、後側梁は前記後側左第１の柱の端面に後側左第１のプレートを介して、前記後側右第１の柱の端面に後側右第１のプレートを介して、前記後側左第２の柱の端面に後側左第２のプレートを介して、前記後側右第２の柱の端面に後側右第２のプレートを介して、それぞれ固定され、前記後側右第２の柱と前記後側左第１の柱との間に柱がないものである。
【０００８】
また、請求項４記載の高架下建物構造体は、請求項３記載の高架下建物構造体において、第１の高架柱の周囲に前側左第１の柱、前側右第１の柱、後側左第１の柱及び後側右第１の柱が位置すると共に、前記前側右第１の柱、前記後側左第１の柱及び前記後側右第１の柱の基礎が、前記第１の高架柱のフーチングに接触しないように施工され、
第２の高架柱の周囲に前側左第２の柱、前側右第２の柱、後側左第２の柱及び後側右第２の柱が位置すると共に、前記前側左第２の柱、前記前側右第２の柱、前記後側左第２の柱及び前記後側右第２の柱の基礎が、前記第２の高架柱のフーチングに接触しないように施工されているものである。
【０００９】
また、請求項５記載の高架下建物構造体は、請求項１又は請求項３記載の高架下建物構造体において、前側左第１の柱と前側右第１の柱の間、前側左第１の柱の上及び前側右第１の柱の上に位置する前側梁に継ぎ目がなく連続しているものである。
【発明の効果】
【００１０】
請求項１記載の高架下建物構造体によれば、高架の下方の空間を利用した高架下建物構造体であって、前記高架を支える第１の高架柱と、前記高架を支え、前記第１の高架柱に隣接する位置にある第２の高架柱と、正面視、前記第２の高架柱より前記第１の高架柱に近い位置にあって、前記第１の高架柱より離間すると共に、前記第１の高架柱より前方で且つ左に位置する前側左第１の柱と、正面視、前記第２の高架柱より前記第１の高架柱に近い位置にあって、前記第１の高架柱より離間すると共に、前記第１の高架柱より前方で且つ右に位置する前側右第１の柱と、正面視、前記第１の高架柱より前記第２の高架柱に近い位置にあって、前記第２の高架柱より離間すると共に、前記第２の高架柱より前方で且つ左に位置する前側左第２の柱と、正面視、前記第１の高架柱より前記第２の高架柱に近い位置にあって、前記第２の高架柱より離間すると共に、前記第２の高架柱より前方で且つ右に位置する前側右第２の柱とを備え、前側梁は前記前側左第１の柱の端面に前側左第１のプレートを介して、前記前側右第１の柱の端面に前側右第１のプレートを介して、前記前側左第２の柱の端面に前側左第２のプレートを介して、前記前側右第２の柱の端面に前側右第２のプレートを介して、それぞれ固定され、正面視、前記第１の高架柱が右、前記第２の高架柱が左に位置し、前記前側右第２の柱と前記前側左第１の柱との間に柱がない、つまり、前側右第２の柱が第２の高架柱に、前側左第１の柱が第１の高架柱に、それぞれ近接して、設けることができるため、前側右第２の柱と前側左第１の柱との間を広く利用することができ（有効スペースの創出）、また、前側梁は前記前側左第１の柱の端面に前側左第１のプレートを介して、前記前側右第１の柱の端面に前側右第１のプレートを介して、前記前側左第２の柱の端面に前側左第２のプレートを介して、前記前側右第２の柱の端面に前側右第２のプレートを介して、それぞれ固定され、つまり、複数の柱に支持され、荷重が分散されるため、前側左第１の柱、前側右第１の柱、前側左第２の柱及び前側右第２の柱の基礎を強固でなくても、例えば、基礎に杭を設けなくても対応することができ、前側左第１の柱、前側右第１の柱、前側左第２の柱及び前側右第２の柱と複数とすることにより、単一の柱自体の大きさ、重量等を軽減でき、現場での作業性も軽減することができる。
【００１１】
また、請求項２記載の高架下建物構造体によれば、上述した請求項１記載の発明の効果に加え、第１の筋交い及び第２の筋交いを正面視、前側左第１の柱及び前側右第１の柱の背面側に位置させたから、筋交いによる強度向上を図ると共に、正面側に筋交いを位置させたものに比べ、スペースのロスを無くして、正面視、前側左第１の柱及び前側右第１の柱の正面を利用して建物の壁の支持部材として有効活用（有効スペースの創出）することができる。
【００１２】
また、請求項３記載の高架下建物構造体によれば、高架の下方の空間を利用した高架下建物構造体であって、前記高架を支える第１の高架柱と、前記高架を支え、前記第１の高架柱に隣接する位置にある第２の高架柱と、正面視、前記第２の高架柱より前記第１の高架柱に近い位置にあって、前記第１の高架柱より離間すると共に、前記第１の高架柱より前方で且つ左に位置する前側左第１の柱と、正面視、前記第２の高架柱より前記第１の高架柱に近い位置にあって、前記第１の高架柱より離間すると共に、前記第１の高架柱より前方で且つ右に位置する前側右第１の柱と、正面視、前記第１の高架柱より前記第２の高架柱に近い位置にあって、前記第２の高架柱より離間すると共に、前記第２の高架柱より前方で且つ左に位置する前側左第２の柱と、正面視、前記第１の高架柱より前記第２の高架柱に近い位置にあって、前記第２の高架柱より離間すると共に、前記第２の高架柱より前方で且つ右に位置する前側右第２の柱とを備え、前側梁は前記前側左第１の柱の端面に前側左第１のプレートを介して、前記前側右第１の柱の端面に前側右第１のプレートを介して、前記前側左第２の柱の端面に前側左第２のプレートを介して、前記前側右第２の柱の端面に前側右第２のプレートを介して、それぞれ固定され、正面視、前記第１の高架柱が右、前記第２の高架柱が左に位置し、前記前側右第２の柱と前記前側左第１の柱との間に柱がない、つまり、前側右第２の柱が第２の高架柱に、前側左第１の柱が第１の高架柱に、それぞれ近接して、設けることができるため、前側右第２の柱と前側左第１の柱との間を広く利用することができ（有効スペースの創出）、また、前側梁は前記前側左第１の柱の端面に前側左第１のプレートを介して、前記前側右第１の柱の端面に前側右第１のプレートを介して、前記前側左第２の柱の端面に前側左第２のプレートを介して、前記前側右第２の柱の端面に前側右第２のプレートを介して、それぞれ固定され、つまり、複数の柱に支持され、荷重が分散されるため、前側左第１の柱、前側右第１の柱、前側左第２の柱及び前側右第２の柱の基礎を強固でなくても、例えば、基礎に杭を設けなくても対応することができ、前側左第１の柱、前側右第１の柱、前側左第２の柱及び前側右第２の柱と複数とすることにより、単一の柱自体の大きさ、重量等を軽減でき、現場での作業性も軽減することができ、また、正面視、前記第２の高架柱より前記第１の高架柱に近い位置にあって、前記第１の高架柱より離間すると共に、前記第１の高架柱より後方で且つ左に位置する後側左第１の柱と、正面視、前記第２の高架柱より前記第１の高架柱に近い位置にあって、前記第１の高架柱より離間すると共に、前記第１の高架柱より後方で且つ右に位置する後側右第１の柱と、正面視、前記第１の高架柱より前記第２の高架柱に近い位置にあって、前記第２の高架柱より離間すると共に、前記第２の高架柱より後方で且つ左に位置する後側左第２の柱と、正面視、前記第１の高架柱より前記第２の高架柱に近い位置にあって、前記第２の高架柱より離間すると共に、前記第２の高架柱より後方で且つ右に位置する後側右第２の柱とを備え、後側梁は前記後側左第１の柱の端面に後側左第１のプレートを介して、前記後側右第１の柱の端面に後側右第１のプレートを介して、前記後側左第２の柱の端面に後側左第２のプレートを介して、前記後側右第２の柱の端面に後側右第２のプレートを介して、それぞれ固定され、前記後側右第２の柱と前記後側左第１の柱との間に柱がない、つまり、後側右第２の柱が第２の高架柱に、後側左第１の柱が第１の高架柱に、それぞれ近接して、設けることができるため、後側右第２の柱と後側左第１の柱との間を広く利用することができ（有効スペースの創出）、また、後側梁は前記後側左第１の柱の端面に後側左第１のプレートを介して、前記後側右第１の柱の端面に後側右第１のプレートを介して、前記後側左第２の柱の端面に後側左第２のプレートを介して、前記後側右第２の柱の端面に後側右第２のプレートを介して、それぞれ固定され、つまり、複数の柱に支持され、荷重が分散されるため、後側左第１の柱、後側右第１の柱、後側左第２の柱及び後側右第２の柱の基礎を強固でなくても、例えば、基礎に杭を設けなくても対応することができ、後側左第１の柱、後側右第１の柱、後側左第２の柱及び後側右第２の柱と複数とすることにより、単一の柱自体の大きさ、重量等を軽減でき、現場での作業性も軽減することができる。
【００１３】
また、請求項４記載の高架下建物構造体によれば、上述した請求項３記載の発明の効果に加え、第１の高架柱の周囲に前側左第１の柱、前側右第１の柱、後側左第１の柱及び後側右第１の柱が位置すると共に、前記前側右第１の柱、前記後側左第１の柱及び前記後側右第１の柱の基礎が、前記第１の高架柱に接触しないように施工され、
第２の高架柱の周囲に前側左第２の柱、前側右第２の柱、後側左第２の柱及び後側右第２の柱が位置すると共に、前記前側左第２の柱、前記前側右第２の柱、前記後側左第２の柱及び前記後側右第２の柱の基礎が、前記第２の高架柱に接触しないように施工されているため、高架橋に影響を与えないようにして、高架の下方の空間を利用した高架下建物構造体を得ることができる。
【００１４】
また、請求項５記載の高架下建物構造体によれば、上述した請求項１又は請求項３記載の発明の効果に加え、前側左第１の柱と前側右第１の柱の間、前側左第１の柱の上及び前側右第１の柱の上に位置する前側梁に継ぎ目がなく連続しているため、前側梁の縮小化、それに伴う前側左第１の柱、前側右第１の柱、後側左第１の柱及び後側右第１の柱及び前側左第１の柱の基礎、前側右第１の柱の基礎、後側左第１の柱の基礎及び後側右第１の柱の基礎の縮小化をも図ることができる。
【図面の簡単な説明】
【００１５】
【図１】図１は、本発明の一実施例の高架下建物構造体の概略的斜視図である。
【図２】図２は、図１の概略的一部正断面図である。
【図３】図３は、図１の概略的断面図である。
【図４】図４は、図３のＡ−Ａ線による概略的断面図である。
【図５】図５は、図３のＢ−Ｂ線による概略的断面図である。
【図６】図６は、図３の一部を拡大して示す概略的一部拡大断面図である。
【図７】図７は、図１の一部の概略的一部斜視図である。
【図８】図８は、図１の一部の概略的一部斜視図である。
【図９】図９は、図２の一部を拡大して示す概略的一部拡大図である。
【図１０】図１０は、従来の高架下建物構造体の概略的図である。
【発明を実施するための形態】
【００１６】
本発明の一実施例の高架下建物構造体を図面（図１乃至図９）を参照して説明する。
図１に示すＮは高架下建物構造体で、高架下建物構造体Ｎは、高架Ｂ（図２参照）の下方の空間を利用したもので、例えば、駅に直結しているという利便性から、高架Ｂの下方の空間を建物（例えば、店舗、事務所、倉庫等）とする際、利用されものである。
【００１７】
図２に示す１は高架Ｂを支える第１の高架柱で、２は高架Ｂを支え、第１の高架柱１に隣接する位置にある第２の高架柱である。
１ＬＦは、正面視、第２の高架柱２より第１の高架柱１に近い位置にあって、第１の高架柱１より離間すると共に、第１の高架柱１より前方で且つ左に位置する前側左第１の柱で、１ＲＦは、正面視、第２の高架柱２より第１の高架柱１に近い位置にあって、第１の高架柱１より離間すると共に、第１の高架柱１より前方で且つ右に位置する前側右第１の柱である。
２ＬＦは、正面視、第１の高架柱１より第２の高架柱２に近い位置にあって、第２の高架柱２より離間すると共に、第２の高架柱２より前方で且つ左に位置する前側左第２の柱で、２ＲＦは、正面視、第１の高架柱１より第２の高架柱２に近い位置にあって、第２の高架柱２より離間すると共に、第２の高架柱２より前方で且つ右に位置する前側右第２の柱である。
【００１８】
図７に示す前側梁３は、例えば、Ｈ鋼で形成され、前側左第１の柱１ＬＦの端面に前側左第１のプレート１ＬＰを介して、前側右第１の柱１ＲＦの端面に前側右第１のプレート１ＲＰを介して、前側左第２の柱２ＬＦの端面に前側左第２のプレート２ＬＰを介して、前側右第２の柱２ＲＦの端面に前側右第２のプレート２ＲＰを介して、それぞれ固定される（固定は、例えば、ボルト，ナットによる）。
なお、前側左第１のプレート１ＬＰは前側左第１の柱１ＬＦの端面に、前側右第１のプレート１ＲＰは前側右第１の柱１ＲＦの端面に、前側左第２のプレート２ＬＰ は前側左第２の柱２ＬＦの端面に  前側右第２のプレート２ＲＰは前側右第２の柱２ＲＦの端面に、それぞれ設置現場でない作業場において、予め溶接されている。図７及び図８に示すＷは、溶接部位である。
【００１９】
図２に示すように、正面視、第１の高架柱１が右、第２の高架柱が左に位置し、前側左第１の柱１ＬＦは、第２の高架柱２より第１の高架柱１に近い位置にあり、前側右第２の柱２ＲＦは、第１の高架柱１より第２の高架柱２に近い位置にあり、前側左第１の柱１ＬＦと前側右第２の柱２ＲＦとの間に柱がない。つまり、前側左第１の柱１ＬＦが第１の高架柱１に、前側右第２の柱２ＲＦが第２の高架柱２に、それぞれ近接して、設けることができるため、前側左第１の柱１ＬＦと前側右第２の柱２ＲＦとの間を広く利用することができる（有効スペースの創出）。
また、前側梁３は、前側左第１の柱１ＬＦの端面に前側左第１のプレート１ＬＰを介して、前側右第１の柱１ＲＦの端面に前側右第１のプレート１ＲＰを介して、前側左第２の柱２ＬＦの端面に前側左第２のプレート２ＬＰを介して，前側右第２の柱２ＲＦの端面に前側右第２のプレート２ＲＰを介して、それぞれ固定され、つまり、複数の柱１ＬＦ、１ＲＦ、２ＬＦ、２ＲＦに支持され、荷重が分散されるため、前側左第１の柱１ＬＦ、前側右第１の柱１ＲＦ、前側左第２の柱２ＬＦ及び前側右第２の柱２ＲＦの基礎を強固でなくても、例えば、基礎に杭を設けなくても対応することができ、前側左第１の柱１ＬＦ、前側右第１の柱１ＲＦ、前側左第２の柱２ＬＦ、前側右第２の柱２ＲＦと複数とすることにより、単一の柱自体の重量も軽減でき、現場での作業性も軽減できる。
なお、上記した 前側左第１の柱１ＬＦ、前側右第１の柱１ＲＦ、前側左第２の柱２ＬＦ、前側右第２の柱２ＲＦは、例えば、建物の壁材の支持部材として、前側左第１の柱１ＬＦ、前側右第１の柱１ＲＦ、前側左第２の柱２ＬＦ、前側右第２の柱２ＲＦに支持された前側梁３は、例えば、建物の天井材の支持部材として、それぞれ利用されるものである。
また、図２及び図９に示すように、前側左第１の柱１ＬＦと前側右第１の柱１ＲＦの間、前側左第１の柱１ＬＦの上及び前側右第１の柱１ＲＦの上に位置する前側梁３に継ぎ目がなく連続し、前側左第２の柱２ＬＦと前側右第２の柱２ＲＦの間、前側左第２の柱２ＬＦの上及び前側右第２の柱１ＲＦの上に位置する前側梁３に継ぎ目がなく連続している。
その結果、前側梁３の縮小化を図ることができ、この前側梁３の縮小化に伴って前側左第１の柱１ＬＦの縮小化、前側右第１の柱１ＲＦの縮小化、前側左第２の柱２ＬＦの縮小化、前側右第２の柱２ＲＦの縮小化及び前側左第１の柱１ＬＦの基礎の縮小化、前側右第１の柱１ＲＦの基礎の縮小化、前側左第２の柱２ＬＦの基礎の縮小化、前側右第２の柱２ＲＦの基礎の縮小化をも図ることができる。
なお、前側梁３は、前側左第１の柱１ＬＦと前側右第１の柱１ＲＦから張り出す第１の前側梁３１、前側左第２の柱２ＬＦと前側右第２の柱２ＲＦから張り出す第２の前側梁３２、第２の前側梁３２と第１の前側梁３１の間に位置する中間前側梁３３を有している。第１の前側梁３１と中間前側梁３３は、プレートを介してボルト、ナットで接続する。
【００２０】
また、図４に示すように、第１の高架柱１の周囲に前側左第１の柱１ＬＦ、前側右第１の柱１ＲＦ、後側左第１の柱１ＬＢ及び後側右第１の柱１ＲＢが位置すると共に、前側左第１の柱１ＬＦ、前側右第１の柱１ＲＦ、後側左第１の柱１ＬＢ及び後側右第１の柱１ＲＢの基礎Ｋ１が、第１の高架柱１に接触しないように（非接触部Ｈ１）、第２の高架柱２の周囲に前側左第２の柱２ＬＦ、前側右第２の柱２ＲＦ、後側左第２の柱２ＬＢ及び後側右第２の柱２ＲＢが位置すると共に、前側左第２の柱２ＬＦ、前側右第２の柱２ＲＦ、後側左第２の柱２ＬＢ及び後側右第２の柱２ＲＢの基礎Ｋ２が、第２の高架柱２に接触しないように（非接触部Ｈ２）、それぞれ施工されている。
その結果、第１の高架柱１、第２の高架柱２等の高架橋に与えないようにして、高架Ｂの下方の空間を利用した高架下建物構造体Ｎを得ることができる。
なお、基礎Ｋ１は、例えば、図６に示すように、土Ｓの上にベース基礎Ｋ１Ａ、無収縮モルタルＫ１Ｂ、土間コンクリートＫ１Ｃを積層したもので、前側右第１の柱１ＲＦは、アンカーボルトＵで固定されるようになっている。なお、前側左第１の柱１ＬＦ、後側右第１の柱１ＲＢ及び後側右第１の柱１ＲＢも、前側右第１の柱１ＲＦと同様に基礎Ｋ１に固定されている。また、前側右第２の柱２ＲＦ、前側左第２の柱２ＬＦ、後側右第２の柱２ＲＢ及び後側右第２の柱２ＲＢを固定する基礎Ｋ２も基礎Ｋ１と同様であるのでその説明は、省略する。
【００２１】
また、図４及び図５に示す１ＬＢは、正面視、第２の高架柱２より第１の高架柱１に近い位置にあって、第１の高架柱１より離間すると共に、第１の高架柱１より後方で且つ左に位置する後側左第１の柱で、１ＲＢは、正面視、第２の高架柱２より第１の高架柱１に近い位置にあって、第１の高架柱１より離間すると共に、第１の高架柱１より後方で且つ右に位置する後側右第１の柱である。
２ＬＢは、正面視、第１の高架柱１より第２の高架柱２に近い位置にあって、第２の高架柱２より離間すると共に、第２の高架柱２より後方で且つ左に位置する後側左第２の柱で、２ＲＢは、正面視、第１の高架柱１より第２の高架柱２に近い位置にあって、第２の高架柱２より離間すると共に、第２の高架柱２より後方で且つ右に位置する後側右第２の柱である。
【００２２】
また、図８に示す後側梁４は、前側梁３と同様、例えば、Ｈ鋼で形成され、後側左第１の柱１ＬＢの端面に後側左第１のプレート１ＬＰ’を介して、後側右第１の柱１ＲＢの端面に後側右第１のプレート１ＲＰ’を介して、後側左第２の柱２ＬＢの端面に後側左第２のプレート２ＬＰ’を介して，後側右第２の柱２ＲＢの端面に後側右第２のプレート２ＲＰ’を介して、それぞれ固定される（固定は、例えば、ボルト，ナットによる）。
なお、後側左第１のプレート１ＬＰ’は後側左第１の柱１ＬＢの端面に、後側右第１のプレート１ＲＰ’は後側右第１の柱１ＲＢの端面に、後側左第２のプレート２ＬＰ’ は後側左第２の柱２ＬＢの端面に、後側右第２のプレート２ＲＰ’は後側右第２の柱２ＲＢの端面に、それぞれ設置現場でない作業場において、予め溶接されている。
【００２３】
そして、正面視、第１の高架柱１が右、第２の高架柱２が左に位置し、後側右第１の柱１ＲＢは、第２の高架柱２より第１の高架柱１に近い位置にあり、後側左第２の柱２ＬＢは、第１の高架柱１より第２の高架柱２に近い位置にあり、後側右第２の柱２ＲＢと後側左第１の柱１ＬＢとの間に柱がない。つまり、後側右第２の柱２ＲＢが第２の高架柱２に、後側左第１の柱１ＬＢが第１の高架柱１に、それぞれ近接して、設けることができるため、後側右第２の柱２ＲＢと後側左第１の柱１ＬＢとの間を広く利用することができる（有効スペースの創出）。
また、後側梁４は、後側左第１の柱１ＬＢの端面に後側左第１のプレート１ＬＰ’を介して、後側右第１の柱１ＲＢの端面に後側右第１のプレート１ＲＰ’を介して、後側左第２の柱２ＬＢの端面に後側左第２のプレート２ＬＰ’を介して，後側右第２の柱２ＲＢの端面に後側右第２のプレート２ＲＰ’を介して、それぞれ固定され、つまり、複数の柱１ＬＢ、１ＲＢ、２ＬＢ、２ＲＢに支持され、荷重が分散されるため、後側左第１の柱１ＬＦ、後側右第１の柱１ＲＢ、後側左第２の柱２ＬＢ及び後側右第２の柱２ＲＢの基礎を強固でなくても、例えば、基礎に杭を設けなくても対応することができ、後側左第１の柱１ＬＢ、後側右第１の柱１ＲＢ、後側左第２の柱２ＬＢ、後側右第２の柱２ＲＢと複数とすることにより、単一の柱自体の重量も軽減でき、現場での作業性も軽減できる。
なお、上記した 後側左第１の柱１ＬＦＢ後側右第１の柱、後側左第２の柱２ＬＢ、後側右第２の柱２ＲＢは、例えば、建物の壁材の支持部材として、後側左第１の柱１ＬＢ、後側右第１の柱１ＲＢ、後側左第２の柱２ＬＢ、後側右第２の柱２ＲＢに支持された後側梁４は、例えば、建物の天井材の支持部材として、それぞれ利用されるものである。
なお、後側梁４は、前側梁３と同様に、また、図９の（）内に符号を付して示すように、後側左第２の柱２ＬＢと後側右第２の柱２ＲＢから張り出す第２の後側梁４１、後側左第２の柱２ＬＢと後側右第２の柱２ＲＢから張り出す第２の後側梁４２、第２の後側梁４２と第１の後側梁４１の間に位置する中間後側梁４３を有している。第１の後側梁４１と中間後側梁４３は、プレートを介してボルト、ナットで接続する。
その結果、後側梁４の縮小化を図ることができ、それに伴う後側左第１の柱１ＬＢ、後側右第１の柱１ＲＢ、後側左第２の柱２ＬＢ、後側右第２の柱２ＲＢ及び後側左第１の柱１ＬＢの基礎、後側右第１の柱１ＲＢの基礎、後側左第２の柱２ＬＢの基礎、後側右第２の柱２ＲＢの基礎、後側右第１の柱１ＲＢの基礎、後側左第１の柱１ＬＢの基礎の縮小化をも図ることができる。
【００２４】
また、図３に示す１ＬＵＴは正面視、前側左第１の柱１ＬＦの正面よりは前記前側左第１の柱１ＬＦの背面に近い側に取り付けられた左前第１の柱の上取り付け部材、
１ＬＳＴは正面視、前側左第１の柱１ＬＦの正面よりは前記前側左第１の柱１ＬＦの背面に近い側に取り付けられた前側左第１の柱の上取り付け部位１ＬＵＴより低い位置にある前側左第１の柱の下取り付け部材、
１ＲＵＴは正面視、前側右第１の柱１ＲＦの正面よりは前記前側右第１の柱１ＲＦの背面に近い側に取り付けられた前側右第１の柱の上取り付け部材、
１ＲＳＴは正面視、前側右第１の柱１ＲＦの正面よりは前記前側右第１の柱１ＲＦの背面に近い側に取り付けられた前側右第１の柱の上取り付け部位１ＲＵＴより低い位置にある前側右第１の柱の下取り付け部材、
Ｂ１は前側左第１の柱の上取り付け部材１ＬＵＴと前側右第１の柱の下取り付け部材１ＲＳＴとを接続する第１の筋交い、 
Ｂ２は前側右第１の柱の上取り付け部材１ＲＵＴと前側左第１の柱の下取り付け部材１ＬＳＴとを接続する第２の筋交いである。
このように、 第１の筋交いＢ１及び第２の筋交いＢ２を正面視、前側左第１の柱１ＬＦ及び前側右第１の柱１ＲＦの背面側に位置させたから、筋交いによる強度向上を図ると共に、正面側に筋交いを位置させたものに比べ、スペースのロスを無くして、正面視、前側左第１の柱１ＬＦ及び前側右第１の柱１ＲＦの正面を利用して建物の壁の支持部材として有効活用することができる。
なお、図５に示すように、前側右第１の柱１ＲＦと後側右第１の柱１ＲＢとの間、後側右第１の柱１ＲＢと後側左第１の柱ＬＢとの間、後側左第１の柱１ＬＢと前側左第１の柱１ＬＦとの間、前側左第２の柱２ＬＦと前側右第２の柱２ＲＦとの間、前側右第２の柱２ＲＦと後側右第２の柱２ＲＢとの間、後側右第２の柱２ＲＢと後側左第２の柱２ＬＢとの間、後側左第２の柱２ＬＢと前側左第２の柱２ＬＦとの間、にも筋交いが設けられている。
【符号の説明】
【００２５】
Ｎ      高架下建物構造体
Ｂ      高架
１      第１の高架柱
１ＬＦ  前側左第１の柱
１ＲＦ  前側右第１の柱
１ＬＰ  前側左第１のプレート
１ＲＰ  前側右第１のプレート
２      第２の高架柱
２ＬＦ  前側左第２の柱
２ＲＦ  前側右第２の柱
２ＬＰ  前側左第２のプレート
２ＲＰ  前側右第２のプレート
３      前側梁
【図１】
2018131832.tif 000003
【図２】
2018131832.tif 000004
【図３】
2018131832.tif 000005
【図４】
2018131832.tif 000006
【図５】
2018131832.tif 000007
【図６】
2018131832.tif 000008
【図７】
2018131832.tif 000009
【図８】
2018131832.tif 000010
【図９】
2018131832.tif 000011
【図１０】
2018131832.tif 000012